(57)【要約】      （修正有）【課題】高齢者や若干目の不自由な人でも視覚と聴覚とにて操作の確実性を確認でき、極めて使い勝手が良い携帯用飲料容器を提供する。【解決手段】ロックボタン９ａは、肩部材４の左、右側壁４ｂ等のそれぞれ外側面と、ロックボタンの左、右側壁部２９ａ、２９ｂのそれぞれ内側面との間であって、ロックボタンの左、右側壁部間を貫通してロックボタンを枢支したロックボタン用軸ピン２８とロックボタンの前面壁部２９ｃとを結ぶ直線上でしかもロックボタン用軸ピン２８の前後に肩部材４の左、右側壁４ｂ等のそれぞれ外側面とジグザグ状に係合する係合移動体１２と、肩部材４の左、右側壁４ｂ等のそれぞれ外側面と凹凸状に嵌合する嵌合移動体１４とを備える。ロックボタン９ａの開閉移動操作時に、係合移動体１２と嵌合移動体１４との移動動作によって音を発生させる。【選択図】図５
0003169208.tif 000002
【実用新案登録請求の範囲】
【請求項１】
真空二重壁の容器本体（１ａ）の口元外側に筒状の肩部材（４）を螺着し、この筒状の肩部材（４）の内側に容器本体（１ａ）内と外部とを連通する注出口（５）を備えた注出筒体（６ａ）を嵌合し、
この注出口（５）を開閉可能とする蓋体（７ａ）を設け、肩部材（４）の前面に左右対称な左側壁（４ａ）と右側壁（４ｂ）とを突出し、
この左側壁（４ａ）と右側壁（４ｂ）との間に蓋体（７ａ）を開閉操作させる開閉ボタン（８ａ）を設け、
肩部材（４）の左、右側壁（４ａ）、（４ｂ）間を跨ぎ、この左、右側壁外面に揺動自在に枢支され、開閉ボタン（８ａ）の操作をロック可能とするロックボタン（９ａ）を設け、
使用時、開閉ボタン（８ａ）のロックを解除して開閉ボタンを押圧操作して、蓋体（７ａ）を注出口（５）より開放する携帯用飲料容器（１）に於いて、
上記ロックボタン（９ａ）は、肩部材（４）の左、右側壁（４ａ）、（４ｂ）のそれぞれ外側面と、ロックボタンの左、右側壁部（２９ａ）、（２９ｂ）のそれぞれ内側面との間であって、ロックボタンの左、右側壁部間を貫通してロックボタンを枢支したロックボタン用軸ピン（２８）とロックボタンの前面壁部（２９ｃ）とを結ぶ直線上でしかもロックボタン用軸ピン（２８）の前後に肩部材（４）の左、右側壁（４ａ）、（４ｂ）のそれぞれ外側面とジグザグ状に係合する係合移動体（１２）と、肩部材（４）の左、右側壁（４ａ）、（４ｂ）のそれぞれ外側面と凹凸状に嵌合する嵌合移動体（１４）とを備え、ロックボタン（９ａ）の開閉移動操作時に、係合移動体（１２）と嵌合移動体（１４）との移動動作によって音を発生させることを特徴とした携帯用飲料容器。
【考案の詳細な説明】
【技術分野】
【０００１】
本考案は、注出口を傾けて直飲み、又はコップ等に注いで飲む携帯用飲料容器に関するものである。
【背景技術】
【０００２】
一般に、携帯用飲料容器、特にその蓋体の開閉及びロック構造は、蓋部材（蓋体）６の
の回動端に係合片８を設け、上部内側にこの係合片８に係脱自在とする係合部１０ａと、中央部内側に係合部１０ａを係合片８との係合方向に付勢する付勢手段とを有したロックボタン（開閉操作部材）１０を設け、このロックボタンの下方に上下スライド式のストッパ１１を設け、このストッパを上方へ移動させ、ストッパの上部がロックボタン１０の下部と口栓部材（肩部材）１４の外周壁との間に挿入されたときに、ロックボタンのロック解除方向への動きを規制する一方、ストッパが下方へスライドされ、ロックボタンと口栓部材との間より非挿入位置にまで位置したときにロックボタンのロック解除方向への動きを許容する構造のものが特開２００５−１９３９４４号公報として存在する。
【先行技術文献】
【特許文献】
【０００３】
【特許文献１】特開２００５−１９３９４４号公報
【考案の概要】
【考案が解決しようとする課題】
【０００４】
しかしながら、このような構成によれば、ストッパは、指先で口栓部材の前面外周壁に沿って上下スライドさせるだけでロックボタンの操作を可能としたり、不可能としたりしていた。
ところが、高齢者や目の不自由な人が、この携帯用飲料容器を使用する際、手（指先）の感触にてストッパの上下スライドを操作するために、ストッパを確実に上動又は下動せずに中途にて停止し、確実に操作したと思いこんでロックボタンが操作されないとか、ロックボタンが勝手に操作したとか、使用状態の確実性に疑問が生じ、使い勝手の悪いという問題点があった。
【課題を解決するための手段】
【０００５】
真空二重壁の容器本体１ａの口元外側に筒状の肩部材４を螺着し、この筒状の肩部材４の内側に容器本体１ａ内と外部とを連通する注出口５を備えた注出筒体６ａを嵌合し、
この注出口５を開閉可能とする蓋体７ａを設け、肩部材４の前面に左右対称な左側壁４ａと右側壁４ｂとを突出し、
この左側壁４ａと右側壁４ｂとの間に蓋体７ａを開閉操作させる開閉ボタン８ａを設け、
肩部材４の左、右側壁４ａ、４ｂ間を跨ぎ、この左、右側壁外面に揺動自在に枢支され、開閉ボタン８ａの操作をロック可能とするロックボタン９ａを設け、
使用時、開閉ボタン８ａのロックを解除して開閉ボタンを押圧操作して、蓋体７ａを注出口５より開放する携帯用飲料容器１に於いて、
上記ロックボタン９ａは、肩部材４の左、右側壁４ａ、４ｂのそれぞれ外側面と、ロックボタンの左、右側壁部２９ａ、２９ｂのそれぞれ内側面との間であって、ロックボタンの左、右側壁部間を貫通してロックボタンを枢支したロックボタン用軸ピン２８とロックボタンの前面壁部２９ｃとを結ぶ直線上でしかもロックボタン用軸ピン２８の前後に肩部材４の左、右側壁４ａ、４ｂのそれぞれ外側面とジグザグ状に係合する係合移動体１２と、肩部材４の左、右側壁４ａ、４ｂのそれぞれ外側面と凹凸状に嵌合する嵌合移動体１４とを備え、ロックボタン９ａの開閉移動操作時に、係合移動体１２と嵌合移動体１４との移動動作によって音を発生させる構成としている。
【考案の効果】
【０００６】
本考案は、従来の問題点を解決したものであって、高齢者や目の不自由な人でも視覚と聴覚とにて操作の確実性を確認でき、極めて使い勝手良い携帯用飲料容器を提供するにある。
【図面の簡単な説明】
【０００７】
【図１】本考案実施例の正面図。
【図２】本考案実施例の右側面
【図３】図１のＡ−Ａ線拡大断面図
【図４】図３の上部拡大図
【図５】本考案実施例の蓋部材を開放した状態を示す一部分解斜視図
【図６】本考案実施例の肩部材とロックボタンの結合状態を示す説明図
【考案を実施するための形態】
【０００８】
携帯用飲料容器１は、内、外筒２，３間を真空引きした容器本体１ａと、容器本体１ａの口元に装着した筒状の肩部材４と、肩部材４内にあって、容器本体１ａ内と外部とを連通する注出口５を備えた注出部材６と、肩部材に枢支して注出口５を開閉する蓋部材７と、蓋部材７の蓋体７ａを係合する開閉操作部材８と、開閉操作部材８の開閉ボタン８ａをロックするロック部材９とから構成されている。
【０００９】
容器本体１ａの内筒２には、図３及び図４に示すように、ステンレス等の金属材料にて有底筒状に形成されており、内筒胴部２ａと、この内筒胴部２ａの上端より上方に向けて内側にすぼめた内筒傾斜部と、この内筒傾斜部の上端より上方に延びた内筒最小径部と、この内筒最小径部の上端より上方に向けてわずかに拡がり延びた内筒垂直部とが一体的に形成されている。 この内筒２の内筒垂直部の内側壁には、小さな環状突起が設けられている。この内筒２の厚みは、約０．３ｍｍである。
【００１０】
容器本体１ａの外筒３には、図３及び図４に示すように、内筒２と間隔を隔てて内筒胴部２ａを囲む外筒胴部３ａと、この外筒胴部３ａの上端より上方に向けて内側にすぼめた外筒傾斜部と、この外筒傾斜部の上端より上方に延びた外筒小径部と、この外筒小径部の上端より更に内側にすぼめてその先端が上方に延びた口元接合部とが一体的に形成されている。内筒胴部２ａの底を囲む外筒３の底部と外筒胴部３ａとは、図３に示すように、同一材料にて別部材として結合されているが、底部と外筒胴部３ａとを同一部材で一体化に形成しても何ら支障をきたすものではない。
【００１１】
容器本体１ａの外筒３の外筒胴部３ａは、横断面多角形による多辺形状に形成されている。この外筒胴部３ａを形成する辺の数は、外筒３の大きさが約６７ｍｍ以下の場合、２８個〜３６個特に３２個が最良である。この外筒３の厚みは、内筒２の厚みと同一であって、約０．３ｍｍである。
【００１２】
外筒胴部３ａには、その外表面が研磨された後に、透明度の高いアクリル樹脂塗料の層ｄが均一に塗布されている。
外筒３の外筒小径部の外側壁には、後述の肩部材４の雌ネジを螺着する雄ネジが刻設されている。
外筒３の口元接合部と内筒２の内筒垂直部の上端とは、重ね合わされて溶接され、容器本体１ａの口元とされており、この外筒３と内筒２との隙間は、真空とされている。
【００１３】
肩部材４は、ポリプロピレン等の合成樹脂材料にて筒状に形成されており、前面の間隔を開けた両側に前方に突出する左側壁４ａと右側壁４ｂとを配設し、後方上部に後述の蓋部材７を枢支する枢支部４ｃを設けている。
【００１４】
肩部材４の右側壁４ｂには、図５に示すように、後述の開閉ボタン８ａを枢支する軸ピン用の第１透孔１０を穿設している。この右側壁４ｂの外表面には、図５に示すように、第１透孔１０よりも斜め下方に後述のロックボタン９ａを枢支するロックボタン用軸ピン２８のための第３透孔１１と、この第３透孔１１の斜め後方で後述のロックボタン９ａの係合移動体１２を係合する小台座体１３と、第３透孔１１の斜め前方でロックボタン９ａの嵌合移動体１４を嵌合しかつ上下二つの溝からなる嵌合溝体１５とが配設されている。
肩部材４の左側壁４ａには、右側壁４ｂと全く同様に右側壁４ｂと左右対称位置に、第１透孔１０を穿設し、左側壁４ａの外表面には、それぞれロックボタン用軸ピン２８のための第３透孔１１と、小台座体１３と、嵌合溝体１５とが配設されている。
【００１５】
この肩部材４の左、右側壁４ａ、４ｂのそれぞれの外表面に配設された小台座体１３は、図６の（ａ）に示すように、山形状に突起しており、後述のロックボタン９ａの係合移動体１２が、この小台座体１３である山形状の突起を上下に通り越してジグザグ状に上下移動可能としている。
又、この肩部材４の左、右側壁４ａ、４ｂのそれぞれの外表面に配設された嵌合溝体１５は、図６の（ｃ）に示すように、上下に二つの溝を穿設しており、後述のロックボタン９ａの嵌合移動体１４が、この嵌合溝体１５である二つの溝を上下に通り越して凹凸状に上下移動可能とし、この移動動作時両者が触れ合い音を発生している。
【００１６】
筒状の肩部材４の内側壁には、図３及び図４に示すように、外筒３に螺着する雌ネジが刻設されている。
この雌ネジが刻設された内側壁の上端には、図４に示すように、後述の注出部材６の注出筒体６ａが抜け出るのを防ぐために、内側に向けて延びた環状突起部１６が設けられている。
【００１７】
注出部材６は、図４に示すように、内筒２内の飲料を外部へ注出する注出口５を備えた内筒状の注出筒体６ａと、この注出筒体６ａの下部にあって、内筒２の内筒垂直部、内筒最小径部の間にて密に接触する環状のシールパッキン１７とからなっている。
【００１８】
この注出筒体６ａは、図４に示すように、携帯用飲料容器１を傾けて飲み易いように、前方が背高く、後方が背低く形成されており、前方のほぼ中央で後方の上方となる周側壁に肩部材４の環状突起部１６に下側より接触して保持される環状突出部１８を設けている。従って、この注出筒体６ａは、肩部材４を容器本体１ａに螺着する前に、肩部材４の下側より内部に押し込んで肩部材にセットしておかなければならない。
【００１９】
蓋部材７は、図３及び図５に示すように、後述の開閉ボタン８ａの係合爪に係止された状態で注出筒体６ａの上面全体を覆う蓋体７ａと、この蓋体７ａを肩部材４の枢支部４ｃに枢支させる蓋体用軸ピン１９と、この蓋体用軸ピン１９の両側よりそれぞれ巻き付け更に両端を肩部材４に巻き付け、この両端の反対側を後端内側に介在させた蓋体用バネ２０とからなっている。
【００２０】
蓋体７ａには、図４及び図５に示すように、蓋体７ａのほぼ中央内壁に、下方に向けて垂下した円筒体部２１が設けられ、この円筒体部２１の下部周りで注出筒体６ａの注出口５に被さるようにして密に閉鎖される弾性パッキン２２が配設されている。
【００２１】
この蓋体７ａには、図３及び図５に示すように、前方に後述の開閉ボタン８ａの係合爪２４に係合する係止爪２３を設けている。
この蓋体７ａでは、注出口５を閉鎖する場合、後述の開閉ボタン８ａやロックボタン９ａの操作に関係なく、蓋体の前方上部を前方向に押し下げれば、係止爪２３が開閉ボタン８ａの係合爪２４に係合保持されることとなる。
【００２２】
開閉操作部材８は、図４に示すように、蓋体７ａを開閉する開閉ボタン８ａと、この開閉ボタンを枢支する軸ピン２５と、開閉ボタンを元の位置に復帰させる開閉復帰バネ２６とからなっている。
この軸ピン２５は、図５に示すように、肩部材４の左、右側壁４ａ、４ｂに穿設した第１透孔１０、１０の一方の第１透孔１０より他方の第１透孔１０にまで貫通して開閉ボタン８ａを肩部材４の左、右側壁４ａ、４ｂ間に枢支している。
この開閉ボタン８は、肩部材４の左、右側壁４ａ、４ｂ間に納められて、図４に示すように、この左、右側壁４ａ、４ｂ間を自由に摺動できて、ほぼ縦板状に形成されている。
【００２３】
この開閉ボタン８ａは、縦板状のほぼ中央後壁に肩部材４の左、右側壁４ａ、４ｂに設けた第１透孔１０、１０を貫通する軸ピン２５を介して前後揺動自在に装着されている。
この縦板状の開閉ボタン８ａは、枢支される軸ピン２５位置よりも上部の内壁に蓋体７ａの係止爪２３を係合する係合爪２４を設け、軸ピン２５位置よりも下部の前面壁を指押圧部２７としている。この開閉ボタンの指押圧部２７後方には、開閉ボタンを元の位置に復帰させる開閉復帰バネ２６が張設されている。
【００２４】
ロック部材９は、開閉ボタンの指押圧部２７前面を覆うロックボタン９ａと、このロックボタンを枢支するロックボタン用軸ピン２８とからなっている。
このロックボタン９ａには、図５に示すように、肩部材４の左、右側壁４ａ、４ｂの外側一部を覆うような左側壁部２９ａ、右側壁部２９ｂと、開閉ボタンの指押圧部２７前面を覆うような前面壁部２９ｃとが一体的に形成されてほぼマスク形状となっている。
このロックボタン９ａは、滑りやすいポリアセタール等の合成樹脂材料にて形成されている。
【００２５】
このロックボタン９ａの左側壁部２９ａの内壁面には、図５に示すように、肩部材４のロックボタン用軸ピン２８を貫通させる第２透孔３１と、この第２透孔の後方に肩部材４の小台座体１３に係合する係合移動体１２とが配設され、第２透孔の前方に肩部材４の嵌合溝体１５に嵌合する嵌合移動体１４が設けられている。
この嵌合移動体１４、第２透孔３１及び係合移動体１２とは、一直線上に配置されている。
このロックボタン９ａの右側壁部２９ｂの内面壁には、左側壁部２９ａと全く同様に、左側壁部と左右対称位置に、それぞれ嵌合移動体１４、第２透孔３１及び係合移動体１２が設けられている。
【００２６】
この小台座体１３と係合移動体１２との係合状態では、図６の（ａ）に示すように、ロックボタン側の係合移動体１２が上下二つのＶ型くぼみを有して上下に移動し、肩部材側の一つの山型からなる小台座体１３を係合移動体１２の上下二つのＶ型くぼみ内にジグザグ状に納めて、後述の嵌合溝体１５と嵌合移動体１４との嵌合状態と共にロックボタン９ａの開閉を行っている。
【００２７】
又、嵌合溝体１５と嵌合移動体１４との嵌合状態では、図６の（ｃ）に示すように、肩部材側の嵌合溝体１５である上下二つのＵ型くぼみ内に、ロックボタン側の一つの凸型からなる嵌合移動体１４を納めて、上述のように小台座体１３と係合移動体１２との係合状態と共にロックボタン９ａの開閉を行っている。
この小台座体１３と係合移動体１２との係合状態並びに嵌合溝体１５と嵌合移動体１４との嵌合状態の操作作動時に、それぞれの凸である出っ張りがそれぞれのくぼみを飛び越えて次のくぼみへ移動する際両者が触れ合い音を発生させることとなる。
【００２８】
即ち、音の発生は、嵌合移動体１４が嵌合溝体１５の上下二つのＵ型くぼみ間を移動する際、又小台座体１３が係合移動体１２の上下二つのＶ型くぼみ間を移動する際、それぞれが共に平行方向の接触と直交方向の接触とを有し、この直交方向の接触によって、ロックボタンと肩部材とを形成するそれぞれの成型材料が触れ合って発生する衝撃音に起因するものである。特に小台座体と係合移動体とでは、Ｖ型のジグザグ状のために直交方向の接触が減少されて音が出にくく、反対に嵌合移動体と嵌合溝体とでは、Ｕ型のために直交方向の接触が大きくなり、音が大きくはっきりと聞き取ることができる。
【００２９】
更に、この小台座体と係合移動体とが又嵌合移動体と嵌合溝体とがそれぞれロックボタン用軸ピン２８と一直線上の前方、後方でしかもそれぞれが共にロックボタン用軸ピンとロックボタンの前面壁部２９ｃとを結ぶ中心線上に配置されているので、ロックボタンの開閉操作をスムーズに行うことができ、長期使用に際しても発生する音量が減少することも少ない。
【００３０】
ロックボタン用軸ピン２８は、図１及び図２に示すように、肩部材４の左、右側壁４ａ、４ｂにロックボタン９ａの左、右側壁部２９ａ、２９ｂをそれぞれ合わせた後、ロックボタン９ａの左、右側壁部２９ａ、２９ｂのどちらか一方の第２透孔３１より肩部材４の左、右側壁４ａ、４ｂ間を通り、ロックボタン９ａの左、右側壁部２９ａ、２９ｂの他方の第２透孔３１を通り抜けて、ロックボタン９ａを肩部材４の左、右側壁４ａ、４ｂ間外側に図６の（ｂ）に示すように、枢支している。
【００３１】
従って、ロックボタン９ａが開閉ボタン８ａの指押圧部２７前面にあって、開閉ボタン８ａの操作を不能としている場合には、ロックボタン９ａの係合移動体１４が肩部材４の嵌合溝体１５内に存在し、肩部材の小台座体１３がロックボタンの係合移動体１２内に存在して、ロックボタン９ａが肩部材の左、右側壁４ａ、４ｂに保持されている。
【００３２】
次に、ロックボタン９ａ前面壁部２９ｃを押し上げると両者が触れ合い音が発生してロック解除を示す。この開閉ボタンの指押圧部２７前面を開放する操作状態では、ロックボタン９ａの嵌合移動体１４が肩部材４の嵌合溝体１５内に移動し、肩部材の小台座体１３がロックボタンの係合移動体１２内に移動すると同時に両者が触れ合い音が発生してロックボタンが開閉ボタンの指押圧部２７より押し上がった状態に維持されることとなる。
【００３３】
このようにして、ロックボタン９ａが開閉ボタン８ａの指押圧部２７前面より押し上げられなければ、両者の触れ合いがなく音が発生せず、聴覚にて知ることができず、しかも開閉ボタン８ａを操作することができないために、蓋体７ａを開放することは全くできない。又、開閉ボタン８ａの指押圧部２７前面よりロックボタンを押し下げることにより、両者が触れ合い音が発生して聴覚にて開閉ボタン８ａの閉鎖を知ることができる。これによりロックボタンの開閉操作が視覚と聴覚とにて知ることができるために、より使い勝手のよいものとなる。
【００３４】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００３５】
１…携帯用飲料容器
１ａ…容器本体
２…内筒
２ａ…内筒胴部
３…外筒
３ａ…外筒胴部
４…肩部材
４ａ…左側壁
４ｂ…右側壁
４ｃ…枢支部
５…注出口
６…注出部材
６ａ…注出筒体
７…蓋部材
７ａ…蓋体
８…開閉操作部材
８ａ…開閉ボタン
９…ロック部材
９ａ…ロックボタン
１０…第１透孔
１１…第３透孔
１２…係合移動体
１３…小台座体
１４…嵌合移動体
１５…嵌合溝体
２５…軸ピン
２７…指押圧部
２８…ロックボタン用軸ピン
２９ａ…ロックボタンの左側壁部
２９ｂ…ロックボタンの右側壁部
２９ｃ…ロックボタンの前面壁部
３１…第２透孔
【図１】
0003169208.tif 000003
【図２】
0003169208.tif 000004
【図３】
0003169208.tif 000005
【図４】
0003169208.tif 000006
【図５】
0003169208.tif 000007
【図６】
0003169208.tif 000008